(57)【特許請求の範囲】
【請求項１】
携帯機器と画像形成装置とを備えた画像処理システムであって、
前記携帯機器は、
撮影手段と、
前記画像形成装置と接続するためのインターフェース手段と、
撮影画像入力モードにおいて、前記撮影手段により撮影された画像データ及び前記インターフェース手段により接続された前記画像形成装置から送信された画像データに対して画像処理を行う画像処理手段と、
を備え、
前記画像形成装置は、
原稿の画像を読み取る読取手段と、
前記携帯機器を接続するインターフェース手段と、
前記携帯機器が前記インターフェース手段に接続されているかどうかを判断する接続判断手段と、
前記接続判断手段により、携帯機器が前記インターフェース手段に接続されていると判断された場合に、携帯機器の前記画像処理手段が起動されており、かつ撮影画像入力モードであるかどうかを判断する状態判断手段と、
前記状態判断手段により、インターフェース手段に接続されている携帯機器の画像処理手段が起動されており、かつ撮影画像入力モードであると判断されたときは、前記読取手段により読み取られた原稿の画像データを、前記携帯機器に送信する制御手段と、
を備えたことを特徴とする画像処理システム。
【請求項２】
前記携帯機器の画像処理手段は、所定のマーカーに基づいて画像処理を実行するものであり、前記画像形成装置から送信されてきた画像データから前記マーカーを特定することにより画像処理を実行する請求項１に記載の画像処理システム。
【請求項３】
画像形成装置は、前記携帯機器の画像処理手段が、画像形成装置から送信されてきた画像データから前記マーカーを特定できたかどうかを認識する認識手段と、該認識手段により、マーカーを特定できなかったと認識された場合、イレギュラー処理を行うイレギュラー処理手段と、をさらに備えている請求項２に記載の画像処理システム。
【請求項４】
画像形成装置は表示手段を備え、
前記イレギュラー処理は、イレギュラーが発生したことの前記表示手段への表示処理である請求項３に記載の画像処理システム。
【請求項５】
画像形成装置は表示手段を備え、
前記認識手段により、マーカーを特定できなかったと認識された場合、前記イレギュラー処理手段は、イレギュラーが発生したことを前記表示手段に表示し、前記携帯機器の操作画面を表示する指示がユーザによってなされたかどうかを判断し、表示指示がなされたと判断した場合、前記携帯機器の操作画面データを前記携帯機器から取得し、前記表示手段に前記携帯機器の操作画面を表示する請求項３または４に記載の画像処理システム。
【請求項６】
携帯機器と画像形成装置とを備えた画像処理システムで実行される画像処理方法であって、
前記携帯機器は、
撮影画像入力モードにおいて、撮影手段により撮影された画像データ及びインターフェース手段により接続された前記画像形成装置から送信された画像データに対して画像処理手段により画像処理を行う画像処理ステップを実行し、
前記画像形成装置は、
原稿の画像を読み取る読取ステップと、
前記携帯機器が接続されているかどうかを判断する接続判断ステップと、
前記接続判断ステップにおいて、携帯機器が接続されていると判断された場合に、携帯機器の前記画像処理手段が起動されており、かつ撮影画像入力モードであるかどうかを判断する状態判断ステップと、
前記状態判断ステップにおいて、前記接続されている携帯機器の画像処理手段が起動されており、かつ撮影画像入力モードであると判断されたときは、前記読取ステップにおいて読み取られた原稿の画像データを、前記携帯機器に送信する制御ステップと、
を実行することを特徴とする画像処理方法。
【発明の詳細な説明】
【技術分野】
【０００１】
この発明は、スマートフォン、タブレット端末等の携帯機器と画像形成装置とを備えた画像処理システム、及び同システムで実行される画像処理方法に関する。
【背景技術】
【０００２】
スマートフォン、タブレット端末等の携帯機器のアプリケーションとして、例えば四隅部にマーカーを備えた用紙に文字や図形等を手書きし、この用紙を携帯機器に備えられたカメラで撮影すると、画像の傾きを自動補正したり、画面に最適な大きさに自動的に補正するといった画像処理を実行するものが知られている。
【０００３】
このようなアプリケーションを使用する場合、ユーザはカメラ撮影ではなく画像形成装置のスキャナ装置に前記用紙を読み取らせ、得られた画像データを前記アプリケーションで処理したい場合がある。例えば、用紙が複数枚有り、手間を省くためにこれらをスキャナ装置の原稿自動搬送装置で自動搬送して読み取らせたいとか、できるだけきれいに画像データを保存したいなどの場合である。
【０００４】
勿論、スキャナ装置で読み取らせた画像データを、画像形成装置側で保存管理することもできるが、ユーザ個人の携帯機器のアプリケーションの設定内容、環境で画像データを管理したい場合には、スキャナ装置で読み取らせた画像データを、携帯機器に送信して携帯機器のアプリケーションで処理することが必要となる。
【０００５】
なお、特許文献１には、ファクシミリの受信データから２次元コードを検出した場合はアドレス帳検索処理を実行し、検索されたアドレスに応じた出力方法を特定するとともに、特定された方法での出力処理を実行する技術が開示されている。
【０００６】
また、特許文献２には、ファクシミリ送信時に、読み取り部がハーコードを検出すると、検出されたバーコードに対応する、アプリケーションやサービスを指定するためのサブアドレスを相手先に送信し、相手先はそれに従ってアプリケーションやサービスを実行する技術が開示されている。
【先行技術文献】
【特許文献】
【０００７】
【特許文献１】特開２００９−０１７１６８号公報
【特許文献２】特開平１１−１６４１１４号公報
【発明の概要】
【発明が解決しようとする課題】
【０００８】
ところが、画像形成装置のスキャナ装置で読み取った画像データを、携帯機器のアプリケーションで処理する場合、従来では、前記読み取った画像データをユーザ操作に基づいてメール等の方法により携帯機器に送信するとともに、携帯機器側では、前記アプリケーションを開いて、送信された画像データを指定するといったユーザ操作が必要であり、非常に手間がかかり使い勝手が良くなかった。
【０００９】
なお、前述した特許文献１及び２に記載の技術は、画像形成装置のスキャナ装置で読み取った画像データを、携帯機器のアプリケーションで処理する場合の前記課題に対して、十分な解決策を提供しうるものではなかった。
【００１０】
この発明は、上記実情に鑑みてなされたものであり、簡単な操作で、画像形成装置のスキャナ装置で読み取った画像データを、携帯機器のアプリケーションで処理できるようにし、使い勝手を向上した画像処理システム及び該システムで実行される画像処理方法を提供することを課題とする。
【課題を解決するための手段】
【００１１】
上記課題は、以下の手段によって解決される。
（１）携帯機器と画像形成装置とを備えた画像処理システムであって、前記携帯機器は、撮影手段と、前記画像形成装置と接続するためのインターフェース手段と、撮影画像入力モードにおいて、前記撮影手段により撮影された画像データ及び前記インターフェース手段により接続された前記画像形成装置から送信された画像データに対して画像処理を行う画像処理手段と、を備え、前記画像形成装置は、原稿の画像を読み取る読取手段と、前記携帯機器を接続するインターフェース手段と、前記携帯機器が前記インターフェース手段に接続されているかどうかを判断する接続判断手段と、前記接続判断手段により、携帯機器が前記インターフェース手段に接続されていると判断された場合に、携帯機器の前記画像処理手段が起動されており、かつ撮影画像入力モードであるかどうかを判断する状態判断手段と、前記状態判断手段により、インターフェース手段に接続されている携帯機器の画像処理手段が起動されており、かつ撮影画像入力モードであると判断されたときは、前記読取手段により読み取られた原稿の画像データを、前記携帯機器に送信する制御手段と、を備えたことを特徴とする画像処理システム。
（２）前記携帯機器の画像処理手段は、所定のマーカーに基づいて画像処理を実行するものであり、前記画像形成装置から送信されてきた画像データから前記マーカーを特定することにより画像処理を実行する前項１に記載の画像処理システム。
（３）画像形成装置は、前記携帯機器の画像処理手段が、画像形成装置から送信されてきた画像データから前記マーカーを特定できたかどうかを認識する認識手段と、該認識手段により、マーカーを特定できなかったと認識された場合、イレギュラー処理を行うイレギュラー処理手段と、をさらに備えている前項２に記載の画像処理システム。
（４）画像形成装置は表示手段を備え、前記イレギュラー処理は、イレギュラーが発生したことの前記表示手段への表示処理である前項３に記載の画像処理システム。
（５）画像形成装置は表示手段を備え、前記認識手段により、マーカーを特定できなかったと認識された場合、前記イレギュラー処理手段は、イレギュラーが発生したことを前記表示手段に表示し、前記携帯機器の操作画面を表示する指示がユーザによってなされたかどうかを判断し、表示指示がなされたと判断した場合、前記携帯機器の操作画面データを前記携帯機器から取得し、前記表示手段に前記携帯機器の操作画面を表示する前項３または４に記載の画像処理システム。
（６）携帯機器と画像形成装置とを備えた画像処理システムで実行される画像処理方法であって、前記携帯機器は、撮影画像入力モードにおいて、撮影手段により撮影された画像データ及びインターフェース手段により接続された前記画像形成装置から送信された画像データに対して画像処理手段により画像処理を行う画像処理ステップを実行し、前記画像形成装置は、原稿の画像を読み取る読取ステップと、前記携帯機器が接続されているかどうかを判断する接続判断ステップと、前記接続判断ステップにおいて、携帯機器が接続されていると判断された場合に、携帯機器の前記画像処理手段が起動されており、かつ撮影画像入力モードであるかどうかを判断する状態判断ステップと、前記状態判断ステップにおいて、前記接続されている携帯機器の画像処理手段が起動されており、かつ撮影画像入力モードであると判断されたときは、前記読取ステップにおいて読み取られた原稿の画像データを、前記携帯機器に送信する制御ステップと、を実行することを特徴とする画像処理方法。
【発明の効果】
【００１２】
前項（１）に記載の発明によれば、画像形成装置は、携帯機器が前記インターフェース手段に接続されているかどうかを判断し、接続されていると判断された場合、携帯機器の画像処理手段が起動されており、かつ撮影画像入力モードであるかどうかを判断する。そして、携帯機器の画像処理手段が起動されており、かつ撮影画像入力モードであると判断されたときは、前記読取手段により読み取られた原稿の画像データが、携帯機器に送信される。一方、携帯機器は、画像形成装置から送信された画像データに対して画像処理を実行する。
【００１３】
従って、ユーザは、携帯機器の画像処理手段を起動し、撮影画像入力モードを設定した状態で、携帯機器を画像形成装置のインターフェース手段に接続し、画像形成装置の読み取り手段で原稿を読み取らせるだけの簡単な操作を行えば、読み取られた原稿の画像データが自動的に携帯機器に送信され、画像処理手段による画像処理が実行される。このため、手間のかかる操作は不要となり、使い勝手の良いシステムとなる。
【００１４】
前項（２）に記載の発明によれば、画像形成装置から送信されてきた画像データから所定のマーカーを特定した場合に画像処理が実行される。
【００１５】
前項（３）に記載の発明によれば、画像形成装置は、前記携帯機器の画像処理手段が、画像形成装置から送信されてきた画像データから前記マーカーを特定できなかった場合、イレギュラー処理を行うから、ユーザは携帯機器が画像処理を行えなかったことを認識できる。
【００１６】
前項（４）に記載の発明によれば、ユーザは携帯機器が画像処理を行えなかったことを確実に認識できる。
【００１７】
前項（５）に記載の発明によれば、ユーザは、画像形成装置の表示手段に表示された携帯機器の操作画面を使用して、携帯機器の設定等を行うことができる。
【００１８】
前項（６）に記載の発明によれば、ユーザは、携帯機器の画像処理手段を起動し、撮影画像入力モードを設定した状態で、携帯機器を画像形成装置のインターフェース手段に接続し、画像形成装置の読み取り手段で原稿を読み取らせるだけの簡単な操作を行えば、読み取られた原稿の画像データが自動的に携帯機器に送信され、画像処理手段による画像処理が実行されるから、手間のかかる操作は不要となり、使い勝手を向上することができる。
【図面の簡単な説明】
【００１９】
【図１】この発明の一実施形態に係る画像処理システムの構成図である。
【図２】画像形成装置の電気的構成を示すブロック図である。
【図３】携帯機器の電気的構成を示すブロック図である。
【図４】画像処理に用いられる用紙の説明図である。
【図５】携帯機器が実行するメインルーチンを示すフローチャートである。
【図６】画像形成装置が実行するメインルーチンを示すフローチャートである。
【図７】図５のフローチャートにおけるステップＳ０１のアプリ処理のサブルーチンを示すフローチャートである。
【図８】図６のフローチャートにおけるステップＳ１１のＵＳＢ認識処理のサブルーチンを示すフローチャートである。
【図９】図６のフローチャートにおけるステップＳ１２のスキャン処理のサブルーチンを示すフローチャートである。
【図１０】図６のフローチャートにおけるステップＳ１３のパネル操作処理のサブルーチンを示すフローチャートである。
【発明を実施するための形態】
【００２０】
以下、この発明の実施形態を図面に基づいて説明する。
【００２１】
図１は、この発明の一実施形態に係る画像処理システムを示すブロック図である。
【００２２】
この画像処理システムは、画像形成装置１と、スマートフォン等の携帯機器２と、パーソナルコンピュータ３と、サーバ４と、プリンタ５等を備えており、画像形成装置１、パーソナルコンピュータ３、サーバ４及びプリンタ５はネットワーク６を介して接続されている。
【００２３】
前記画像形成装置１は、この実施形態では、コピー機能、プリンタ機能、ファクシミリ機能、スキャン機能等の複数の機能を複合した多機能デジタル画像形成装置であるＭＦＰ（Multi Function Peripherals）が用いられている。以下の説明では、画像形成装置をＭＦＰともいう。
【００２４】
ＭＦＰ１の構成を図２のブロック図に示す。
【００２５】
ＭＦＰ１は、ＣＰＵ１１と、ＲＯＭ１２と、ＲＡＭ１３と、記憶部１４と、スキャナ部１５と、プリンタ部１６と、操作パネル１７と、ネットワークインターフェース（ネットワークＩＦ）１８と、ＵＳＢインターフェース（ＵＳＢＩＦ）１９等を備えている。
【００２６】
前記ＣＰＵ１１は、ＭＦＰ１の全体を統括的に制御し、コピー機能、プリンタ機能、ファクシミリ機能、スキャン機能等の各機能を使用可能とするものである。さらにこの実施形態では、携帯機器２が前記ＵＳＢインターフェース１９に接続されているかどうかを判断したり、接続されていると判断された場合に、携帯機器２のアプリケーションが起動されているかどうか、撮影画像入力モードであるかどうかを判断したり、携帯機器２の画像処理部が起動されており、かつ撮影画像入力モードであると判断されたときは、前記スキャナ１５により読み取られた原稿の画像データを、前記携帯機器２に送信する等の動作を行うが、詳細な説明は後述する。
【００２７】
前記ＲＯＭ１２は、前記ＣＰＵ１１の動作プログラム等が格納されているメモリであり、ＲＡＭ１３は、前記ＣＰＵ１１が動作プログラムに従って動作する際の作業領域を提供するメモリである。
【００２８】
前記記憶部１４は、スキャナ部１５により読み取られた画像データやその他のデータ、アプリケーション等を保存するメモリであり、例えばハードディスク装置が用いられている。
【００２９】
前記スキャナ部１５は、用紙等に記載された原稿の画像を読み取って、電子データである画像データに変換する読み取り手段として機能する。このスキャナ部１５は、図示は省略したが複数の原稿を読み取り位置まで自動搬送する自動原稿搬送装置（ＡＤＦ）を備えていても良い。
【００３０】
プリンタ部１６は、前記スキャナ部１５で読み取られた原稿の画像データ、パーソナルコンピュータ３等の外部装置から送信されたプリントデータ等を、用紙に印刷するものである。
【００３１】
操作パネル１７は、ユーザの操作やメッセージの表示等に使用されるものであり、テンキー、スタートキー等を備えたハードキー部１７１と、液晶等のタッチパネルからなり、各種メッセージやＭＦＰ１の状態等を表示するための表示部１７２を備えている。
【００３２】
前記ネットワークインターフェース１８は、パーソナルコンピュータ３、サーバ４などの外部装置とデータの送受を行うための通信部として機能する。
【００３３】
前記ＵＳＢインターフェース１９は、携帯機器２を接続するためのインターフェースである。
【００３４】
図３は、前記携帯機器２の構成を示すブロック図である。
【００３５】
携帯機器２は、ＣＰＵ２１と、ＲＯＭ２２と、ＲＡＭ２３と、記憶部２４と、操作パネル２５と、撮影カメラ２６と、通信インターフェース（通信ＩＦ）２７と、ＵＳＢインターフェース（ＵＳＢＩＦ）２８等を備えている。
【００３６】
前記ＣＰＵ２１は、携帯機器２の全体を統括的に制御するものであるが、特にこの実施形態では、撮影カメラ２６により撮影された画像データ及び前記ＭＦＰ１から送信された画像データに対して、各種のアプリケーションに従う画像処理を実行したり、ＭＦＰ１からの問い合わせに対して、携帯機器２の状態等をＭＦＰ１に回答する等の制御を行う。
【００３７】
前記ＲＯＭ２２は、前記ＣＰＵ２１の動作プログラム等が格納されているメモリであり、ＲＡＭ２３は、前記ＣＰＵ２１が動作プログラムに従って動作する際の作業領域を提供するメモリである。
【００３８】
前記記憶部２４は、撮影カメラ２６により撮影された画像データやＭＦＰ１からの画像データ、その他のデータ、アプリケーション等を保存するメモリであり、例えばハードディスク装置が用いられている。
【００３９】
操作パネル２５は、ユーザの操作やメッセージの表示等に使用されるものであり、液晶等のタッチパネルからなり、各種の操作キーや操作画面、メッセージ等を表示するものである。なお、テンキー等のハードキーを備えていても良い。
【００４０】
撮影カメラ２６は、ユーザ操作により被写体を撮影するものである。
【００４１】
前記通信インターフェース２７は、電話回線を通じて通話を行ったり、パーソナルコンピュータ３、サーバ４などの外部装置とデータの送受を行うためのものである。
【００４２】
前記ＵＳＢインターフェース２８は、携帯機器２をＭＦＰ１と接続するためのインターフェースである。
【００４３】
この実施形態では、携帯機器２には次のような画像処理を行うアプリケーションがインストールされている。
【００４４】
即ち、図４に示すように、四隅部に所定のマーカー１００ａが設けられた用紙１００に、文字や図形等を手書きし、この用紙１００を携帯機器２の撮影カメラ２６で撮影すると、得られた画像データにおける前記マーカー１００ａを特定し、該マーカー１００ａに基づいて、ページの輪郭を自動的に判断して、画像データの傾きを自動補正すると共に、操作パネル２５の画面に最適な大きさに画像データを自動的に補正する。さらに、所定領域内の日付や番号を文字認識処理して、記憶部２４に記憶して管理したり、メール転送できるようになっている。また、アクションマーカーの設定で、例えばタグを自動的に付けるとか、所定のウェブサービスに自動転送する等の機能を付加することができる。
【００４５】
また、この用紙１００をＭＦＰ１のスキャナ部１５で読み取った画像データに対しても、撮影カメラ２６により撮影された用紙１００の画像データと同様に、画像データにおけるマーカー１００ａを特定し、該マーカー１００ａに基づいて、画像データの傾きを自動補正すると共に、操作パネル２５の画面に最適な大きさに画像データを自動的に補正することができる。
【００４６】
なお、画像処理はこの例に限定されることはない。
【００４７】
次に、図１に示した画像処理システムの動作を説明する。
【００４８】
携帯機器２のユーザは、前記アプリケーションを起動するとともに、撮影カメラ２６で撮影された画像データ（撮影画像ともいう）の入力モードに設定しておくことにより、アプリケーションによる画像処理が可能な状態としておく。
【００４９】
この状態で、携帯機器２をＵＳＢインターフェース２８を介して、ＭＦＰ１のＵＳＢインターフェース１９に接続する。
【００５０】
そして、四隅部にマーカー１００ａを有し、手書き等により画像等が記載された用紙１００を、ＭＦＰ１のスキャナ部１５によりスキャンさせる。スキャナ部１５は用紙１００の画像を読み取って画像データに変換する。ＭＦＰ１は、得られた画像データをＭＦＰ１のＵＳＢインターフェース１９、及び携帯機器２のＵＳＢインターフェース２８を介して、携帯機器２に送信する。
【００５１】
携帯機器２は、ＭＦＰ１から画像データを受信すると、前記アプリケーションで画像データを処理する。
【００５２】
このように、ユーザは、携帯機器２のアプリケーションを起動し、撮影画像入力モードを設定した状態で、携帯機器２をＭＦＰ１のＵＳＢインターフェース１９に接続し、ＭＦＰ１のスキャナ部１５で用紙（原稿）１００の画像を読み取らせるだけの簡単な操作を行えば、読み取られた用紙の画像データが自動的に携帯機器２に送信され、前記アプリケーションによる画像処理が実行される。このため、手間のかかる操作は不要となり、使い勝手の良いシステムとなる。
【００５３】
図５は、携帯機器２のＣＰＵ２１が実行するメインルーチンを示すフローチャートであり、ステップＳ０１のアプリケーション処理（図面ではアプリ処理と記している）と、ステップＳ０２のその他の処理を繰り返して実行する。アプリケーション処理の詳細については後述する。
【００５４】
図６は、ＭＦＰ１のＣＰＵ１１が実行するメインルーチンを示すフローチャートである。
【００５５】
ステップＳ１１で、ＵＳＢ認識処理を実行した後、ステップＳ１２で、用紙１００の画像をスキャナ部１５で読み取るスキャン処理を実行する。次に、ステップＳ１３でパネル操作処理を実行し、ステップＳ１４でその他の処理を実行した後、ステップＳ１１に戻る。ＵＳＢ認識処理、スキャン処理、パネル操作処理の詳細については後述する。
【００５６】
図７は、図５のフローチャートにおけるステップＳ０１のアプリ処理のサブルーチンを示すフローチャートである。
【００５７】
ステップＳ０１１で、アプリケーションを起動中かどうかを判断する。起動中でなければ（ステップＳ０１１でＮＯ）、リターンする。起動中であれば（ステップＳ０１１でＹＥＳ）、ステップＳ０１２で、撮影画像入力モードであるかどうかを判断し、撮影画像入力モードでなければ（ステップＳ０１２でＮＯ）、リターンする。撮影画像入力モードであれば（ステップＳ０１２でＹＥＳ）、ステップＳ０１３に進む。
【００５８】
ステップＳ０１３では、携帯機器２がＭＦＰ１と接続されているかどうかを判断し、接続されていれば（ステップＳ０１３でＹＥＳ）、ステップＳ０１４で、画像データの入力先をＵＳＢインターフェース２８に設定したのち、ステップＳ０１６に進む。つまり、ＭＦＰ１から送信される画像データに対する画像処理を行うように設定する。携帯機器２がＭＦＰ１と接続されていなければ（ステップＳ０１３でＮＯ）、ステップＳ０１５で、画像データの入力先をカメラ２６に設定したのち、ステップＳ０１６に進む。つまり、カメラ２６で撮影された画像データに対する画像処理に設定する。
【００５９】
ステップＳ０１６では、画像データが入力されたかどうかを調べ、入力されなければ（ステップＳ０１６でＮＯ）、リターンする。入力されると（ステップＳ０１６でＹＥＳ）、ステップＳ０１７で、入力された画像データにアプリケーションによる画像処理を実行する。
【００６０】
つまり、ステップＳ０１８で、四隅部のマーカーを認識したかどうかを判断し、認識すると（ステップＳ０１８でＹＥＳ）、ステップＳ０１９で、画像の傾き、サイズを自動補正したのち、ステップＳ０２１に進む。マーカーを認識しなければ（ステップＳ０１８でＮＯ）、ステップＳ０２０で、ステータスをイレギュラー発生にした後、ステップＳ０２１に進む。
【００６１】
ステップＳ０２１では、画像データ中の所定領域の日付や数字の文字認識（ＯＣＲ）処理を行った後、ステップＳ０２２で、その他の設定済み処理を実行する。その他の設定済み処理としては、例えば画像データをメール転送する、アクションマーカーの設定で機能を付加する（タグを自動的に付けるとか所定のウェブサービスに自動転送する等）等の処理が挙げられる。
【００６２】
図８は、ＭＦＰ１が図６のステップＳ１１で実行するＵＳＢ認識処理のサブルーチンを示すフローチャートである。
【００６３】
ステップＳ１１１で、携帯機器２が接続されているかどうかを調べ、接続されていなければ（ステップＳ１１１でＮＯ）、リターンする。接続されていると（ステップＳ１１１でＹＥＳ）、ステップＳ１１２で、携帯機器２で前記アプリケーションが起動されているかどうかを、例えば携帯機器２に問い合わせることにより調べる。
【００６４】
アプリケーションが起動されていなければ（ステップＳ１１２でＮＯ）、リターンする。起動されていると（ステップＳ１１２でＹＥＳ）、ステップＳ１１３で、携帯機器２で撮影画像入力モードになっているかどうかを、例えば携帯機器２に問い合わせることにより調べる。撮影画像入力モードになっていなければ（ステップＳ１１３でＮＯ）、リターンする。なっていると（ステップＳ１１３でＹＥＳ）、ステップＳ１１４では、ＵＳＢ携帯ステータス１に撮影画像入力モードを設定したのち、ステップＳ１１５に進む。
【００６５】
ステップＳ１１５では、携帯機器２にイレギュラーが発生したかどうかを、例えば携帯機器２に問い合わせることにより調べる。イレギュラーが発生していなければ（ステップＳ１１５でＮＯ）、リターンする。イレギュラーが発生していると（ステップＳ１１５でＹＥＳ）、ステップＳ１１６で、ＵＳＢ携帯ステータス２にイレギュラー発生を設定した後、リターンする。
【００６６】
図９は、ＭＦＰ１が図６のステップＳ１２で実行するスキャン処理のサブルーチンを示すフローチャートである。
【００６７】
ステップＳ１２１で、ユーザ操作に基づいてスキャンが要求されたかどうかを判断する。要求されなければ（ステップＳ１２１でＮＯ）、リターンする。要求されると（ステップＳ１２１でＹＥＳ）、ステップＳ１２２で、用紙１００に対するスキャンを実行する。
【００６８】
次いで、ステップＳ１２３で、ＵＳＢ携帯ステータス１に撮影画像入力モードが設定されているかどうかを判断する。設定されていれば（ステップＳ１２３でＹＥＳ）、ステップＳ１２４で、スキャナ部１５で得られた画像データをＵＳＢインターフェース１９を介して携帯機器２に送信した後、リターンする。ＵＳＢ携帯ステータス１に撮影画像入力モードが設定されていなければ（ステップＳ１２３でＮＯ）、ステップＳ１２５で、印刷等の通常の処理を行うため、ステップＳ１２５で、画像データを通常インターフェースに送信した後、リターンする。
【００６９】
図１０は、ＭＦＰ１が図６のステップＳ１３で実行するパネル操作処理のサブルーチンを示すフローチャートである。
【００７０】
ステップＳ１３１で、ＵＳＢ携帯ステータス１に撮影画像入力モードが設定されているかどうかを判断する。設定されていなければ（ステップＳ１３１でＮＯ）、リターンする。設定されていると（ステップＳ１３１でＹＥＳ）、ステップＳ１３２で、操作パネル１７の表示部１７２に、撮影画像入力モードに対応するウィンドウを表示する。このウィンドウでは、例えば用紙１００をスキャンして得られた画像データを携帯機器２へ送信中であること等が表示される。
【００７１】
次に、ＵＳＢ携帯ステータス２にイレギュラー発生が設定されているかどうかを調べ、設定されていなければ（ステップＳ１３３でＮＯ）、リターンする。設定されていると（ステップＳ１３３でＹＥＳ）、ステップＳ１３４で、イレギュラーが発生したことを操作パネル１７の表示部１７２に表示する。これにより、ユーザは、携帯機器２が画像処理を行えなかったことを容易にかつ確実に認識することができる。
【００７２】
次いで、ステップＳ１３５で、携帯機器２の操作画面（ＵＳＢ携帯リモートパネルウィンドウ）を表示する指示が、ユーザによってなされたかどうかを判断する。なお、このような指示の有無は、例えば、表示部１７２に表示された表示指示ボタンが押されたかどうかを判断することにより行われる。
【００７３】
表示指示がなければ（ステップＳ１３５でＮＯ）、リターンする。表示指示があれば（ステップＳ１３５でＹＥＳ）、ステップＳ１３６で、携帯機器２の操作画面データを携帯機器２から取得して、表示部１７２に表示する。ユーザは、表示された操作画面を使用して、携帯機器２の設定等を行うことができる。
【００７４】
以上、本発明の一実施形態を説明したが、本発明は上記実施形態に限定されることはない。
【００７５】
例えば、ＭＦＰ１と携帯機器２とがＵＳＢインターフェースを介して接続される場合を示したが、近距離無線通信により接続される形態であっても良い。
【００７６】
また、携帯機器２として、ノートパソコンやカメラ等が用いられても良い。
【符号の説明】
【００７７】
１      画像形成装置
２      携帯機器
１１    ＣＰＵ
１４    記憶部
１５    スキャナ部
１７    操作パネル
１７２  表示部
１９    ＵＳＢインターフェース
２１    ＣＰＵ
２４    記憶部
２５    操作パネル
２６    カメラ
２８    ＵＳＢインターフェース
【図１】
0005862428.tif 000002
【図２】
0005862428.tif 000003
【図３】
0005862428.tif 000004
【図４】
0005862428.tif 000005
【図５】
0005862428.tif 000006
【図６】
0005862428.tif 000007
【図７】
0005862428.tif 000008
【図８】
0005862428.tif 000009
【図９】
0005862428.tif 000010
【図１０】
0005862428.tif 000011